(57)【要約】【課題】ドレンホース１５の取付を簡単にする。【解決手段】熱交換器８からの結露水を受け、結露水を排水口１４へ導くドレンパン１２と、排水口１４に接続して結露水の排水を行うドレンホース１２とを有し、排水口はドレンパンから突出して形成し、排水口をドレンホースに挿入して着脱自在に接続する空気調和機において、ドレンホースの一端に接続部１６を有し、接続部の周囲に係合する固定金具１７を有し、固定金具はネジ穴２１を備える金具本体２２と、接続部に係合する係合片２３とを備え、ドレンパンの排水口近傍に固定金具のネジ穴を固定する取付穴２５と、固定金具の回転方向の位置を規制するストッパ２７とを備え、ストッパにはドレンホース取付け時に固定金具に当接して、ドレンホースの固定位置を確認する傾斜面を形成することで確実で簡単にドレンホースを取り付けることができる。【選択図】  図５
2019211131.tif 000002
【特許請求の範囲】
【請求項１】
熱交換器からの結露水を受け、該結露水を排水口へ導くドレンパンと、
前記排水口に接続して結露水の排水を行うドレンホースとを有し、
前記排水口は前記ドレンパンから突出して形成し、
前記排水口をドレンホースに挿入して着脱自在に接続する空気調和機において、
前記ドレンホースの一端に接続部を有し、
前記接続部に、該接続部の周囲から突出する固定金具を備え、
前記固定金具にはネジ穴を有し、
前記ドレンパンの前記排水口近傍に前記固定金具の前記ネジ穴を固定する取付穴と、
前記固定金具の回転方向の位置を規制するストッパとを備え、
前記ストッパには、前記ドレンホース取付け時に前記固定金具に当接して、前記ドレンホースの固定位置を確認する傾斜面を形成したことを特徴とする空気調和機。
【請求項２】
前記排水口と前記取付穴と前記ストッパと前記傾斜面を、前記ドレンパンの背面両端に一対備えることを特徴とする請求項１に記載の空気調和機。
【発明の詳細な説明】
【技術分野】
【０００１】
本発明は、ドレンパンの排水口にドレンホースを取付けるようにした空気調和機に関するものである。
【背景技術】
【０００２】
従来、この種のものでは、図８に示す様に、熱交換器からの水を受けるとともにその水を排水する排出口ａを有する水受け皿ｂと、前記排出口ａに着脱自在のドレンホースｃと、このドレンホースｃの排出口側端部若しくはその近傍に設けた係止部ｄと、室内機本体ｅに設けられ前記係止部ｄを係止する被係止部ｆとを備え、前記水受け皿ｂを本体ｅに着脱自在としたもので、空気調和機の据付工事時にドレンホースが本外外部へ引っ張られても、前記ドレンホースｃの係止部ｄが本体ｅに設けた被係止部ｆに係止して、抜ける事が無いものである。（例えば、特許文献１）
【先行技術文献】
【特許文献】
【０００３】
【特許文献１】特開２００５−７６９４９号公報
【発明の概要】
【発明が解決しようとする課題】
【０００４】
しかし、この従来のものでは、ドレンホース抜け止め用の係止部ｄは室内機本体ｅに形成されているので、水受け皿ｂの本体ｅへの組み付け状態によって排出口ａと本体ｅの被係止部ｆの位置が変動することがあり、水受け皿ｂと被係止部ｆの間が小さいときには組み付け作業の障害になり、水受け皿ｂと被係止部ｆの間が大きいときにはドレンホースｃが外れやすくなることで水漏れの危険が生じるものであった。
【課題を解決するための手段】
【０００５】
上記課題を解決するために、本発明では、熱交換器からの結露水を受け、該結露水を排水口へ導くドレンパンと、前記排水口に接続して結露水の排水を行うドレンホースとを有し、前記排水口は前記ドレンパンから突出して形成し、前記排水口をドレンホースに挿入して着脱自在に接続する空気調和機において、前記ドレンホースの一端に接続部を有し、前記接続部に、該接続部の周囲から突出する固定金具を備え、前記固定金具にはネジ穴を有し、前記ドレンパンの前記排水口近傍に前記固定金具の前記ネジ穴を固定する取付穴と、前記固定金具の回転方向の位置を規制するストッパとを備え、前記ストッパには、前記ドレンホース取付け時に前記固定金具に当接して、前記ドレンホースの固定位置を確認する傾斜面を形成したものである。
【発明の効果】
【０００６】
この発明のによれば、ドレンパンに形成した取付穴に固定金具をネジ止めすることで排水口へのドレンホースの取り付けを確実にすることができる。
また、ストッパには取付け時に固定金具の位置を確認する傾斜面を形成したので、排水口へのドレンホースの取り付け時の位置ズレを防止して取付け作業を簡単にすることができる。
また、据付作業の際にドレンホースを右側取り付けから、左側取り付けに変更するときにも、確実にドレンホースを取りつけることができる。
【図面の簡単な説明】
【０００７】
【図１】この発明一実施形態を示す断面図
【図２】同ドレンホースの拡大正面図
【図３】同図２に示すＡ−Ａ断面図
【図４】同ドレンパンの背面図
【図５】同要部の分解斜視図
【図６】同ドレンホースの左側取り付け時の要部拡大背面図
【図７】同ドレンホースの左側取り付け時の要部拡大平面図
【図８】従来例の分解斜視図
【発明を実施するための形態】
【０００８】
次に、この発明の一実施形態について図１〜７を基に説明する。図１は空気調和機の概略を説明するための右側面方向から見た断面図で、１はセパレート式空気調和機の室内機で、後板２と前面カバー３とオープンパネル４で外枠を形成し、前記前面カバー３の前面に位置する前記オープンパネル４上部左右に設けた支軸（図示せず）を支点として前面カバー３の前方へ開閉自在に取付られる。
【０００９】
前記前面カバー３の上面には横長格子状の吸込口５と、前面カバー３の下方から底面には吹出口６を有し、下斜め前方に冷風または温風を吹き出すことで室内の温度調整を行う。前記吸込口５から吹出口６の間には空気通路７を形成している。この空気通路７の吸込口５内側には、吸込空気内に含まれる塵埃を取り除く左右一対のエアフィルタ（図示せず）を有し、このエアフィルタの更に内側（下流側）には、横長のフィンチューブ式の熱交換器８を備え、その熱交換器８は前後方向の中間部を頂部として側面視で逆Ｖ字状に前方熱交換器９と後方熱交換器１０が配置されている。
【００１０】
また、前記熱交換器８の下方には、横長のクロスフローファンから成る送風ファン１１が備えられ、前記前方熱交換器９の下部には、冷房運転時に前方熱交換器９で発生する結露水を受けるドレンパン１２が備えられ、前記後板２にネジ止め固定されている。また、前記後方熱交換器１０の下部には、後方熱交換器１０で発生する結露水を受ける後部ドレンパン１３が前記後板２に一体に形成されている。前記送風ファン１１の回転で吸込口５から吸い込まれた空気は空気通路７の熱交換器８を通過することで温度調整し吹出口６から吹き出される。
【００１１】
前記ドレンパン１２の左右背面にはパイプ状の排水口１４が後方へ突出して形成されている。この排水口１４の外周に樹脂製のドレンホース１５が接続され、前記前方熱交換器９からの結露水はドレンパン１２から排水口１４へ、後方熱交換器１０からの結露水は後部ドレンパン１３からドレンパン１２を経由して排水口１４へ集まりドレンホース１５で屋外に排水される。
【００１２】
図２は前記ドレンホース１５の拡大正面図で、図３は図２に示すＡ−Ａ断面図であり、図２−３を基にドレンホース１５を説明する。前記ドレンホース１５は前記排水口１４にネジ込んで接続するために、排水口１４の外径よりも稍大きいゴム製の接続部１６を有している。この接続部１６の外周には固定金具１７を係合するための溝１８が形成され、接続部１６の後方には蛇腹状のドレンホース本体１９が熱溶着等で接続され、更に、ドレンホース本体１９は内部を流れる結露水によってドレンホース本体１９表面に結露が発生することを防止するために、発泡性の断熱材２０で覆われている。
【００１３】
前記固定金具１７は略三角形状でネジ穴２１を備える金具本体２２と、この金具本体２２から延出し、前記接続部１６の溝１８に係合する係合片２３を備え、接続部１６への係合後には溝１８との摩擦力等によって密着して接続部１６に前後方向や回転方向共に固定される。
【００１４】
図４は前記ドレンパン１２の背面図で、図５はドレンパン１２の左側の排水口１４ｂにドレンホース１２を取り付けるときの分解斜視図を示す。前記ドレンパン１２の背面両端には一対の右排水口１４ａと左排水口１４ｂを有し、室内への据付状況に応じてドレンホース１２を左右の排水口１４に差し換えて使用する。前記排水口１４の近傍には円柱状の突起２４を立設し、この突起２４に取付穴２５を備え、前記固定金具１７のネジ穴２１を貫通して取付穴２５に固定金具１７がネジ２６でネジ止め固定される。２７は前記固定金具１７の右回転方向の位置（図６の破線矢印参照）を前記金具本体２２の右端に当接して規制するストッパで、取付穴２５とネジ穴２１が重なってネジ止めできるように、前記排水口１４の側方位置にコの字型に立設される。
【００１５】
前記ストッパ２７にはドレンホース１５の差込時に差込深さが不足するときに、前記金具本体２２がストッパ２７を乗り越えることで差込不良を認識するための傾斜面２８を備えている。この傾斜面２８は前記突起２４の取付穴２５よりも約１ｍｍ後方から傾斜が始まりストッパ２７の先端まで形成されることで傾斜面２８に金具本体２２の右端が当接したときに金具本体２２を後ろ側に押し戻して、ストッパ２７を乗り越えることで組み立や据付工事の作業者にドレンホース１５の差込不足を認知させ、かつ、ストッパ２７を乗り越えた状態では、取付穴２５とネジ穴２１の位置が外れることでネジ止めができないので確実にドレンホース１５の差込不良を防止して、ドレンホース１５接続部分からの水漏れを防止する。なお、金具本体２２の厚さは約３ｍｍで取付穴２５から傾斜面２８までの間（約１ｍｍ）までドレンホース１５が差し込まれていれば水漏れの心配は無く、固定金具１７によってドレンホース１５はドレンパン１２に固定される。
【００１６】
前記室内機１の据付工事の際にドレンホース１５の差し替えを行う作業を説明する。前記室内機１の工場出荷時にはドレンホース１５は右側の右排水口１４ａにネジ止め固定され室内機１の背面の隙間に右側から水平に折り曲げて収納梱包されている。また、左側の左排水口１４ｂはゴム栓やゴム蓋（図示せず）によって閉じられている。
【００１７】
梱包材から室内機１を取り出してドレンパン１２の右排水口１４ａのネジ２６をはずしてドレンホース１５を引き抜き、左排水口１４ｂからゴム栓を外す。次に、外したドレンホース１５の接続部１６に固定金具１７が正しく固定されているかを確認の後、ドレンホース１５を左排水口１４ｂを覆って差し込むと共に、右方向に回転する。正しい位置まで差し込まれたときには金具本体２２の右端にストッパ２７ｂが当接して、取付穴２５ｂとネジ穴２１が重なってネジ２６によってネジ止めできる。また、ドレンホース１５が充分に差込まれていないときには、金具本体２２がストッパ２７ｂの傾斜面２８ｂの作用でストッパ２７ｂを乗り越えることで差込不良を作業者に認識させることができる。作業者はドレンホース１５を更に深く差し込むと共に、右方向に回転し、金具本体２２の右端にストッパ２７ｂが当接するまでドレンホース１５を差し込むことで、ドレンホース１５を左排水口１４ｂの正しい位置まで確実に差し込むことができる。そして、固定金具１７のネジ穴２１を突起２４ｂの取付穴２５ｂに、先に外したネジ２６でネジ止めする。また、左排水口１４ｂから取り外したゴム栓を右排水口１４ａに取り付けて右排水口１４ａを塞ぐ。これによって、簡単にドレンホース１５の差込不良を防止して、ドレンホース１５接続部分からの水漏れを防止する。
【００１８】
なお、据付工事の際のドレンホース１５の差し替え作業につて説明したが、ドレンパン１２の右排水口１４ａとその周囲も同様の形状に構成しているので、製造時の組立作業でもドレンホース１５を右排水口１４ａに簡単に、確実に取り付けることができる。
【００１９】
以上のように本発明によれば、ドレンパン１２に形成した取付穴２５に固定金具１７をネジ止めすることで排水口１４へのドレンホース１５の取り付けを確実にすることができる。
また、ストッパ２７には取付け時に固定金具１７の金具本体２２を確認する傾斜面２８を形成したので、排水口１４へのドレンホース１５の取り付け時の位置ズレを防止して取付け作業を簡単にすることができる。
また、据付作業の際にドレンホース１５を右側取り付けから、左側取り付けに変更するときにも、簡単で確実にドレンホース１５を取りつけることができる。
【００２０】
また、本実施形態ではドレンホース１５の接続部１６と固定金具１７を別部品で係合して固定していたが、ゴム或いは樹脂製の接続部１６の成型時に固定金具１７を一体に成型しても良い。
また、本実施形態で用いたその他の構成は一例として提示したものであり、発明の範囲を限定することは意図しておらず、その他の様々な形態で実施されることが可能であり、発明の要旨を逸脱しない範囲において、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００２１】
１    室内機
８    熱交換器
１２    ドレンパン
１４    排水口
１５    ドレンホース
１６    接続部
１７    固定金具
２２    金具本体
２３    係合片
２７    ストッパ
２８    傾斜面
【図１】
2019211131.tif 000003
【図２】
2019211131.tif 000004
【図３】
2019211131.tif 000005
【図４】
2019211131.tif 000006
【図５】
2019211131.tif 000007
【図６】
2019211131.tif 000008
【図７】
2019211131.tif 000009
【図８】
2019211131.tif 000010